(57)【要約】      （修正有）【課題】望ましくない事象の危険性がある使用者のベッドの状態を通知する方法およびシステムを提供する。【解決手段】ベッド１２には、患者位置監視（ＰＰＭ）システム６０を有し、ベッド使用者の位置および／または活動を監視することが望ましい場合、ＰＰＭシステムを装備状態にして使用する。さらに、ベッド１２の満足状態または不満足状態を示す少なくとも１つのランプモジュール４２が固定される。ＰＰＭシステム６０が装備状態の場合で、転落の危険に対する安全装置が有効な場合、ランプモジュール４２は、第１の方法で点灯され、ベッド１２が満足できる状態であることを示す。ＰＰＭシステム６０が装備状態にあり、転落の危険に対する安全装置が有効でない場合、ランプモジュール４２は第２の方法で点灯し、ベッド１２は不満足な状態であることを示す。【選択図】図１
2010088878.tif 000002
【特許請求の範囲】
【請求項１】
転落の危険性がある使用者のベッドの状態を通知する方法であって、
患者位置監視（ＰＰＭ）システムが装備されているかどうかを特定することと、
安全装置が有効であるかどうかを特定することと、
以下に規定するように、
ＰＰＭ 安全装置 ベッド状態の表示
装備            有効                満足
装備            無効                不満足
ベッドの満足状態または不満足状態を示すランプモジュールを作動させることと
を有する方法。
【請求項２】
前記安全装置は、一つ以上の入力条件がすべて満足されたときのみ有効となる、請求項１に記載の方法。
【請求項３】
満足すべき前記入力条件が、１）ブレーキがかかっていること、２）ベッドの高さ調節可能部分が最低の高さになっていること、および３）使用者のヘッドエンド側の少なくとも２つの横方向に間隔をあけたサイドレールが配置されていることを含む、請求項２に記載の方法。
【請求項４】
前記安全装置は、一つ以上の入力条件のいずれか一つが満足されたときに有効となる、請求項１に記載の方法。
【請求項５】
満足すべき前記入力条件は、１）ブレーキがかかっていること、２）ベッドの高さ
調節可能部分が最低の高さになっていること、および３）使用者のヘッドエンド側の少なくとも２つの横方向に間隔をあけたサイドレールが配置されていることを含む、請求項４に記載の方法。
【請求項６】
前記ＰＰＭシステムが装備されていない場合、前記ランプモジュールの作動を控えることを含む、請求項１に記載の方法。
【請求項７】
前記満足状態および前記不満足状態は、前記ランプモジュールが放射する光特性により互いに区別される、請求項１に記載の方法。
【請求項８】
前記光特性は、少なくとも色および断続点灯性の一つである、請求項７に記載の方法。
【請求項９】
前記ランプモジュールは、連続的な緑の光を放射することによって満足状態を示し、断続的にアンバー光を放射することによって不満足状態を示し、実質的に可視光を放射しないことによって前記ＰＰＭシステムが装備解除されていることを示す、請求項７に記載の方法。
【請求項１０】
満足状態専用の第１ランプモジュールと、不満足状態専用の第２ランプモジュールとを有し、前記満足状態は、前記第１ランプモジュールを作動させることによって示され、前記不満足状態は、前記第２ランプモジュールを作動させることによって示される、請求項１に記載の方法。
【請求項１１】
前記満足状態および前記不満足状態は、互いに、作動されたランプモジュールが放射する光特性によりさらに区別される、請求項１０に記載の方法。
【請求項１２】
前記光特性は、少なくとも色および断続点灯性の一つである、請求項１１に記載の方法。
【請求項１３】
前記満足状態を示すランプモジュールは、作動されると連続的な緑の光を放射し、前記不満足状態を示すランプモジュールは、作動されると断続的にアンバー光を放射する、請求項１１に記載の方法。
【請求項１４】
前記ランプモジュールはベッドに固定されている、請求項１に記載の方法。
【請求項１５】
補助条件が、許容可能あるいは許容不可能であるかどうかを特定することと、
以下に規定するように、
補助条件 ＰＰＭ 安全装置 ベッド状態の表示
許容可能        装備            有効                満足
許容可能        装備            無効                不満足
許容不可能                                          不満足
ベッドの満足状態または不満足状態を示すランプモジュールを作動させることと
を有する、請求項１に記載の方法。
【請求項１６】
ベッドの使用者が、十分に保護されているかどうかを通知する状態通知システムであって、
装備状態および装備解除状態を含む患者位置監視（ＰＰＭ）システムと、
少なくとも一つのランプモジュールと、
前記ランプモジュールの作動を条件によって制御する手段と
を備え、
前記手段は、以下に規定するように、
ＰＰＭ 安全装置 作動方法
装備            有効            第１
装備            無効            第２
ベッドの満足状態を示すために第１の方法によって、またはベッドの不満足状態を示すために第２の方法によって前記ランプモジュールを作動させるメッセージを発生する、状態通知システム。
【請求項１７】
前記安全装置は、一つ以上の入力条件がすべて満足されたときのみ有効となる、請求項１６に記載のシステム。
【請求項１８】
満足すべき前記入力条件が、１）ブレーキがかかっていること、２）ベッドの高さ調節可能部分が最低の高さになっていること、および３）使用者のヘッドエンド側の少なくとも２つの横方向に間隔をあけたサイドレールが配置されていることを含む、請求項１７に記載のシステム。
【請求項１９】
前記安全装置は、一つ以上の入力条件のいずれか１つが満足されたときに有効となる、請求項１６に記載のシステム。
【請求項２０】
満足すべき前記入力条件が、１）ブレーキがかかっていること、２）ベッドの高さ調節可能部分が最低の高さになっていること、および３）使用者のヘッドエンド側にある少なくとも２つの横方向に間隔をあけたサイドレールが配置されていることを含む、請求項１９に記載のシステム。
【請求項２１】
前記第１の方法は、第１の色の可視光を放射することであり、前記第２の方法は、第２の色の可視光を放射することである、請求項１６に記載のシステム。
【請求項２２】
前記第１の放射方法および前記第２の放射方法のうち一つが、断続的な光の放射を含む、請求項２１に記載のシステム。
【請求項２３】
前記ＰＰＭが装備解除状態の場合、前記手段は、ランプモジュールを第３の方法で作動させるためのメッセージをさらに発生する、請求項１６に記載のシステム。
【請求項２４】
前記第１の方法は、第１の色の可視光を放射し、前記第２の方法は、第２の色の可視光を放射し、前記第３の方法は可視光を放射しない、請求項２３に記載のシステム。
【請求項２５】
前記第１の放射方法および前記第２の放射方法のうち一つが、断続的な光の放射を含む、請求項２４に記載のシステム。
【請求項２６】
前記少なくとも一つのランプモジュールが、複数の発光体を含む、請求項１６に記載のシステム。
【請求項２７】
補助条件が、許容可能あるいは許容不可能であるかどうかを特定することと、
以下に規定するように、
補助条件 ＰＰＭの状態 安全装置 ベッド状態の表示
許容可能          装備                有効              満足
許容可能          装備                無効              不満足
許容不可能                                              不満足
前記ベッドの満足状態を示すために第１の方法によって、または前記ベッドの不満足状態を示すために第２の方法によって、前記ランプモジュールを作動させることと
を備える、請求項１６に記載の状態通知システム。
【請求項２８】
望ましくない事象の危険性がある使用者のベッドの状態を通知する方法であって、
前記使用者が望ましくない事象の危険に晒されていることを表示することと、
以下に規定するように、
危険か？ 事象固有の安全装置は有効か？ ベッド状態の表示
はい                  はい                            満足
はい                  いいえ                          不満足
ベッドの満足状態または不満足状態を示すランプモジュールを作動させることと
を備える方法。
【請求項２９】
使用者監視システムを装備することは、使用者が危険に晒されていることを示し、前記事象固有の安全装置は、ベッドの少なくとも一つの物理条件を含む、請求項２８に記載の方法。
【請求項３０】
補助条件が満足または不満足であるかどうかを判断することと、
以下に規定するように、
補助条件 危険か？ 事象固有の安全装置は有効か？ ベッド状態の表示
許容可能      はい                はい                          満足
許容可能      はい                いいえ                        不満足
許容不可能                                                      不満足
ベッドの満足または不満足な状態を示すための表示を提供することと
を含む、請求項２８に記載の方法。
【請求項３１】
ベッドの使用者が十分に保護されているかどうかを明らかにするためにベッドを改良する後付けキットであり、
前記ベッドに固定でき、満足メッセージ、不満足メッセージおよびＮＵＬＬメッセージに応答できるよう構成された少なくとも一つのランプモジュールと、
以下に規定するように、
ＰＰＭの状態 危険固有の安全装置 メッセージ
装備                        有効                満足
装備                        無効                不満足
ＰＰＭシステムが装備されているかまたは装備解除されているかを示すＰＰＭメッセージに対応し、さらに危険固有の安全装置が有効であるかどうかを明らかにする状態または条件情報に対応して、満足または不満足メッセージを発生する手段と
を備える後付けキット。
【請求項３２】
前記手段は、
ベッド上の既存のチップの代わりに用いることができるチップと、
ベッド上の既存のプリント回路基板（ＰＣＢ）の代わりに用いることができるＰＣＢと
を有する、請求項３１に記載の後付けキット。
【請求項３３】
前記手段は、さらに補助条件に対応し、以下に規定するように、
補助条件 ＰＰＭの状態 危険固有の安全装置 メッセージ
許容可能          装備                  有効              満足
許容可能          装備                  無効              不満足
許容不可能                                                不満足
満足または不満足メッセージ発生する、請求項３１に記載の後付けキット。
【請求項３４】
前記ランプモジュールを作動させることが、前記ランプモジュールから放射される光が少なくとも部分的に床に向けられることを含む、請求項１に記載の方法。
【請求項３５】
前記光が主に床に向けられる、請求項３４に記載の方法。
【請求項３６】
前記ランプモジュールから放射される光が少なくとも部分的に床に向けられるように、前記ランプモジュールを位置付けおよび方向付ける、請求項１５に記載のシステム。
【請求項３７】
前記光が主に床に向けられる、請求項３６に記載のシステム。
【請求項３８】
近接のベッド使用者に向けられる光の放射を遮蔽するシールドを有する、請求項１６に記載のシステム。
【発明の詳細な説明】
【技術分野】
【０００１】
本明細書で説明する対象は、病院用ベッドなどにおいて、ベッドの状態を通知するための方法およびシステムに関する。
【背景技術】
【０００２】
家庭用ではないベッドは、病院、個人住宅およびその他の施設で使用される。これらのベッドには、複数のブレーキ、ヘッドエンドサイドレール、フットエンドサイドレール、調整可能な高さなどの特殊機能が含まれる。この種のベッドの使用者は、通常患者であり、転落などの有害事象に対して無防備な人たちである。無防備な患者に対する危険を緩和するために、安全装置を用いることができる。例えば、転落の危険がある患者は、ベッドにブレーキをかけ、ベッドの高さは最低の位置に調整し、少なくとも複数のヘッドエンドサイドレールを配置することによってより守られる。このような安全装置が備わっているか否かを示すことは、ベッドが望ましい状態にあることを伝えて安心を得るため、あるいはベッドが望ましい状態にない場合は是正措置を講じるために望ましい。本出願は、そのような表示を行うための方法およびシステムを開示する。
【発明の概要】
【課題を解決するための手段】
【０００３】
望ましくない事象の危険に晒される使用者のベッドの状態を通知する方法には、使用者が望ましくない事象の危険に晒されていることを示す表示と、危険表示に対応してベッドが満足できる状態にあるかまたは満足できない状態にあるかを示すランプモジュールの作動と、危険に対する安全装置が有効であるかどうかの表示とが含まれる。
【０００４】
本方法と関連システムのさまざまな実施形態の前記およびその他の特徴は、以下の詳細説明および添付図によってより明確になる。
【図面の簡単な説明】
【０００５】
【図１】図１は、病院用ベッドの斜視図である。
【図２】図２は、図１のベッドの一部の拡大図である。
【図３】図３は、ベッドの概略側面図である。
【図４】図４は、ベッドの状態によって、第１あるいは第２の方法でランプモジュールを作動させる判断を示すブロック図である。
【図５】図５は、図４と同様だが、ベッドの状態によって２つの専用ランプモジュールの内、一つまたは他方を作動させることを示す図である。
【図６】図６は、ベッドの状態を通知する物理的システムの特定の構成要素を示す概略図である。
【図７】図７は、図４と同様だが、ベッドの状態を評価するための補助条件を使用する方法とシステムを示す図である。
【図８】図８は、図５と同様だが、ベッドの状態を評価するための補助条件を使用する方法とシステムを示す。
【図９】図９は、図４の方法とシステムの一般的な変形を示す図である。
【図１０】図１０は、図７の方法とシステムの一般的な変形を示す図である。
【図１１】図１１は、本明細書に開示された通知機能を既存のベッドに組み込むための後付けキットの構成要素の模式図である。
【発明を実施するための形態】
【０００６】
図１および図２を参照すると、入院患者に使用されるタイプのベッド１２は、ベースフレーム１４、高さ調節フレーム１６および一組のリンク１８を有し、最低の高さと最高の高さの間で高さ調節フレームを調整するためのシステムの一部を構成する。ベースフレームは、車輪２０と足ペダル２２によって制御されるブレーキシステムを有し、これにより回転軸２４で回る車輪のうち、少なくとも１つの車輪の回転を防止する。さまざまなブレーキシステムとさまざまな高さ調節システムが、本明細書で開示される複数の方法とシステムに使用できる。
【０００７】
当該ベッドは、調節可能なフレーム上のマットレス３０、ヘッドボード３２およびフットボード３４をさらに含む。調節可能なフレームは、横方向に間隔をあけた一組のヘッドエンドサイドレール３６と横方向に間隔をあけた一組のフットエンドサイドレール３８を支える。サイドレールは、図示されるように配置したり、あるいはより低い位置に引っ込めたり、またはベッド使用者が乗り降りしやすいように、あるいは介護人が使用者に近づきやすいように取り除くことができる。図３の略図に示されているように、ベッドのヘッドエンドは、ベッドの頭部（Ｈｅａｄ  ｏｆ  Ｂｅｄ；ＨＯＢ）を角度αに起こすように枢動可能である。
【０００８】
少なくとも１つのランプモジュール４２が、シールド部分４５を有する左右のブラケット４３によって高さ調節可能フレームにさらに固定される。図２および図６に示すように、例示的なランプモジュールは、半透明あるいは透明の保護レンズ５４の後ろに収容される発光ダイオード（ＬＥＤ）４８および５０のような発光体の２つのアレイ４４および４６を備える。ランプモジュールは、モジュールから放射される光の大部分、あるいは少なくともその一部が床に向けられるように、フレームとブラケットに対して位置付けおよび方向付けられる。これによって、ライトが点灯したときの近接ベッド使用者に対する迷惑を軽減することができる。しかしながら、ライトは床に対して光るので、床の明かりと床からの反射によって、近傍の介護人の注意を引くことができる。ブラケットのシールド部分４５は、ランプモジュールを損傷から保護し、近接ベッドの使用者に対して邪魔になる方向への発光を遮断することに役立つ。ＬＥＤアレイは、異なる性質をもつ光線を放射する。例えば、アレイ４４のＬＥＤ４８は、可視的な緑の光を放射し、アレイ４６のＬＥＤ５０は、可視的なアンバー光を放射する。アレイのどちらか一方または両方は、連続的または断続的（連続的でない）な光の放射を発生するよう制御できる。図６に最も分かりやすく示すように、アレイは、個別部品が交互になるよう配列される。
【０００９】
ベッドは、概略的に６０として示される患者位置監視（Ｐａｔｉｅｎｔ  Ｐｏｓｉｔｉｏｎ  Ｍｏｎｉｔｏｒｉｎｇ；ＰＰＭ）システムをさらに有する。ベッド使用者の位置および／または活動を監視することが望ましい場合、ＰＰＭシステムを装備状態にして使用する。例えば、使用者が許容できないほどの高い転落危険性があると判断された場合、または使用者が介添えなしにベッドから離れることが許可されていない場合に、ＰＰＭシステムを装備状態にすることができる。代表的な装備状態のＰＰＭシステムには３段階の感度レベルがあり、１つは使用者が動いた場合に警告を発し、１つは使用者がベッドから離れる意図を持って動いたときに警告を発し、もう１つは使用者がベッドから離れたときに警告を発する。
【００１０】
転落の危険があると判断された使用者については、ブレーキの状態、高さ調節可能フレーム１６、および複数のヘッドエンドサイドレール３６を、転落の危険に関連したベッドの状態あるいは条件として指定することができる。これらの状態または条件は、それぞれが個別に危険に対する安全装置として有効になっているかどうかを決める入力条件である。またこれらの状態を総合して、転落の危険に対する安全装置の状態を規定する。安全装置は、関連入力条件を満たしているかどうかによって有効または無効にできる。例えば、ブレーキがセットされ、高さ調節可能フレームが最低位置に調整され、ヘッドエンドサイドレールが配置されていることは、転落の危険があると判断された使用者にとって、ブレーキ、高さ調節可能フレームおよびヘッドエンドサイドレールがそれぞれ比較的安全な状態であることを示す。対照的に、ブレーキが開放され、高さ調節可能フレームが最低位置より高い位置にあり、ヘッドエンドサイドレールが引っ込められていたり取り外されたりしている場合は、その使用者にとって比較的安全でない状態である。望ましくは、安全装置が有効であると宣言するためには、望ましい条件（ブレーキがセットされ、高さ調節可能フレームがその最低位置に設定され、両方のヘッドエンドサイドレールが配置されている）がすべて満たされていなければならない。望ましい入力条件のうちたとえ１つでも満たされていない場合は、安全装置は有効ではない。あるいは、望ましい条件の１つでも満たされる場合は、安全装置が有効であると宣言することができる。その場合、望ましい条件のすべてが欠けている場合のみ、安全装置が有効でないとみなされる。
【００１１】
サイドレールの配置に関連した上述の条件は、ユーザーによって設定可能である。具体的には、サイドレールが望ましい状態にあるとみなされるためには、ユーザーが、すべての４つのサイドレールが配置されていなければならない、あるいは、両方のヘッドエンドサイドレールとどちらかのフットエンドサイドレールが配置されていなければならないことを指定できる。個別の条件または複数の条件および他の条件の組み合わせなどの変形は、本明細書で主張する対象の範囲内である。
【００１２】
図４を参照すると、転落の危険がある使用者用のベッドの状態を通知する方法は、ＰＰＭシステムが装備状態にあるかどうかを特定することを含む。装備状態の場合、さらに、転落の危険に対する安全装置が有効な場合、ランプモジュール４２（図１および図２）は、第１の方法で点灯され、ベッドが満足できる状態であることを示す。しかしながら、ＰＰＭシステムが装備状態にあり、転落の危険に対する安全装置が有効でない場合、ランプモジュール４２は第２の方法で点灯し、ベッドは不満足な状態であることを示す。ＰＰＭが装備状態でない場合は、方法はランプモジュールの作動を控える。満足できるベッド状態と不満足なベッド状態の両方を示すために、同じランプモジュールが使われる。したがって、モジュールはどちらの状態を示すべきかによって、違う方法で作動する。好ましくは、モジュールは、満足状態を示すのに緑の光を放射し、不満足状態を示すのにはアンバー光を放射するのがよい。光の放射は、連続的もしくは断続的にでき、または１つの状態の場合は連続的、他の場合は断続的にすることができる。好ましくは、満足できるベッド状態に対応する発光は連続的、不満足な状態に対応する発光は断続的であるのがよい。同じランプモジュールを満足状態の表示と不満足状態の表示の両方に使うことは、図１に示すように複数の同様なモジュールをベッドの周りに分散させることを妨げない。あるいは、図５で提案されているように、満足状態を示すよう作動するランプモジュールと不満足状態を示すよう作動するランプモジュールを別々にして相互に排他的なモジュールとし、１つは満足状態専用、もう１つは不満足状態専用とし、ＰＰＭシステムが装備解除中はどちらのモジュールも作動しないようにできる。専用モジュールは相互に排他的なので、両方とも同じ方法で作動させること（例えば、両方とも同じ色、同じ強度、連続的な発光を含む同程度の断続性による光線の放射）も、または非専用ランプモジュールの場合には上述のような別の方法で作動させることもできる。さらに、専用モジュールの複数のセットをベッドの周りに配置できる。
【００１３】
図６を参照すると、状態通知方法に関する物理的システムの特定の構成要素には、ＰＰＭシステム６０、少なくとも１つのランプモジュール４２、ランプ論理６２を内蔵する集積回路チップ６４、およびプリント回路基板（ＰＣＢ）６６が含まれる。チップは、ランプモジュールが満足あるいは不満足なベッド状態のどちらを示すべきかを決定する論理６２を含む、ベッドの多くの機能に関する論理を有する。ＰＣＢは、チップと通信を行い、論理６２の決定に基づき要求された表示をさせるようランプモジュールを操作する。チップとＰＣＢは、双方合わせてＰＰＭシステムからの入力（装備あるいは装備解除）および前記のように安全装置が有効かどうかの決定に基づき、ランプモジュールの作動を条件によって制御する手段６８を画成する。手段６８は、ＰＰＭが装備状態にあり、安全装置が有効である場合、「満足」メッセージまたは信号を発生し、第１の方法でランプモジュールを作動させる。手段６８は、ＰＰＭが装備状態にあり、安全装置が無効である場合、「不満足」メッセージまたは信号を発生し、第２の方法でランプモジュールを作動させる。結果（「満足」または「不満足」）によって、ランプモジュールは、ベッドが満足な状態にあることを示すための第１の方法で作動するよう、あるいはベッドが不満足な状態にあることを示すための第２の方法で作動するよう指示される。図示されるように、第１の方法で作動するランプモジュールと第２の方法で作動するランプモジュールは、同じランプモジュールである。第１の方法の作動は、緑のＬＥＤ４８を連続的または断続的に作動することによるが、連続的な作動の方が望ましい。第２の方法の作動は、アンバーＬＥＤ５０を連続的または断続的に作動することによるが、断続的の方が望ましい。しかしながら、図５の状況における上述の方法に従い、システムは、１つは満足なベッド状態専用であり、もう１つは不満足なベッド状態専用である別々のランプモジュールを代わりに使用することもできる。
【００１４】
ＰＰＭが装備されていない場合、使用者は容認できない転落の危険があるとはみなされていない。したがって、ランプモジュールは第３の方法で作動する。具体的には、方法およびシステムは、ランプモジュール（またはモジュール）を作動させるメッセージあるいは信号の送出を控えるので、ランプモジュールから可視光線が出ることはない。信号またはメッセージが送出されないということは、ＮＵＬＬメッセージの発行と見ることもできる。
【００１５】
場合によっては、上述のシステムおよび方法は、望ましい状態でないことを示すための警告、警報あるいはその他の表示を出す他のシステムがすでに装着されているベッドで使用することもあり得る。そのような他システムの一例は、ベッドの頭部（ＨＯＢ）警報であり、ＨＯＢ警報が装備状態でベッドの頭部角度α（図３）が３０度未満であると特定された場合に可聴警報が鳴動する。上記のシステムが他のシステムと併用される場合、他のシステムに不適合の表示を送出させるまたはさせ得るいかなる状態において、たとえ上記のシステムが満足状態を示す場合であっても、上記システムは、不満足状態を知らせることが望ましい。
【００１６】
図７は、すでに説明した方法やシステムとＨＯＢ角が３０度未満かどうかなどの補助条件との組み合わせを示す。図で示されるように、当該方法ではＰＰＭが装備されているかどうかを判断する。装備されており、安全装置が有効の場合（例えば、複数のヘッドエンドサイドレールが配置され、高さ調整フレームが最低位置に設定され、ブレーキがかけられている）は、当該方法は補助条件が許容可能（例えばＨＯＢ角が３０度以上）状態かどうかを判断する。補助条件が満足あるいは許容可能な状態の場合（経路Ａ）、当該方法はランプモジュールを第１の方法で作動させ、ベッドが満足な状態にあることを示す。しかし、補助条件が不満足あるいは許容不可の場合（経路Ｂ）、当該方法はランプを第２の方法で作動させ、ベッドが不満足な状態にあることを示す。システムは、ＰＰＭが装備され、安全装置が有効ではない場合（経路Ｃ）、あるいはＰＰＭシステムが装備されておらず、安全装置が有効であるかないかに関わらず、補助条件が許容不可（例えば補助条件が満足でない）の場合も（経路Ｄ）、ランプを第２の方法で作動させ、不満足状態を示す。ＰＰＭシステムが装備されておらず補助条件の状態が許容可能の場合は、当該方法はＮＵＬＬ状態を示す（経路Ｅ）。
【００１７】
図８は、図７と同様の方法およびシステムを示すが、満足状態を示す専用ランプモジュールと不満足状態を示す専用ランプモジュールを使用する。
【００１８】
図９および図１０は、転落以外の望ましくない危険に一般化された方法および関連システムを示す。一般化は、ベッドの使用者が望ましくない事象に対する危険に晒されていることを示すこと（例えば、ＰＰＭシステムを装備することはベッド使用者が許容できないほど高い転落の危険に晒されていることを示す）と、危険に対する固有の安全装置が有効になっているかを特定することとを含む。特定の危険固有の安全装置が有効であるか否かは、問題の危険に関する１つ以上の状態または条件の相関関係である。特に図９と下表を参照すると、使用者が危険に晒されていると示され、当該危険固有の安全装置が有効である場合は、ベッドの満足状態を示す表示がなされる。使用者が危険に晒されていると示され、当該危険固有の安全装置が有効でない場合は、以下に定められるように不満足状態を示す表示がなされる。  
危険か？ 事象固有の安全装置は有効か？ ベッド状態の表示
はい                はい                        満足
はい                いいえ                      不満足
図１０と下表に示されるように、ＨＯＢ角度などの補助条件も判断の対象にすることができる。  
補助条件 危険か？ 事象固有の安全装置は有効か？ ベッド状態の表示
許容可能      はい                はい                        満足
許容可能      はい                いいえ                      不満足
許容不可                                                      不満足
【００１９】
図９および図１０に示すシステムおよび方法は、同じランプモジュールを使って、満足状態および不満足状態の両方を示すことを提案しているが、前述のように、専用ランプモジュールを代わりに採用できる。さらに、前述のような本題の変形（点灯特性、専用対非専用のランプモジュール、単独あるいは複数のランプモジュールの使用、補助条件の使用）またそれに限定されない複数の変形を採用するか否かは、設計者の判断次第であると理解される。
【００２０】
開示のシステムは、新たに製造された複数のベッドの中に組み込むことができ、これにより当該ベッドは開示された方法を実現できる。また、システムは、ベッドの機能を向上させるよう現存のベッドに後付けできる。すなわち、図１１に示されるように、後付けキット７０は、満足メッセージ、不満足メッセージおよびＮＵＬＬメッセージに対応するよう構成された少なくとも１つのランプモジュール４２を有し、さらに、ランプモジュールを高さ調節可能フレーム１６に固定するための左右のブラケット４３を有する。キットは、チップ６４、ＰＣＢ６６や、複数のブラケットねじ７２、複数の磁石７４、複数のケーブルタイ７６などのさまざまなファースナーをさらに有し、これによりブラケットとワイヤーをベッドに固定できる。また、キットは、複数のラベル８０、複数の手順書８２および複数のパッケージ部品８４をさらに有する。チップ６４は、ランプの作動論理６２を含まないベッド上の既存のチップと代用可能である。同様に、ＰＣＢは、ランプモジュールを作動できないベッド上の既存のＰＣＢと代用可能である。ランプ作動論理６２は、患者位置監視（ＰＰＭ）システムが装備されているか、または装備解除されているかを示すＰＰＭメッセージをＰＰＭシステムから受信できる。さらに、ランプ作動論理６２は、危険固有の安全装置が有効かどうかを判断するための状態または条件情報も受信できる。論理６２とＰＣＢ６４は、以下に示すように、ＰＰＭメッセージおよび状態または条件情報に応じて満足または不満足メッセージを発生する。  
ＰＰＭ 安全装置 ベッド状態の表示
装備          有効              満足
装備          無効              不満足
【００２１】
本方法は、ある要件に対する不適格性を示すよう設計された他のシステムと併用することもできる。論理６２とＰＣＢ６４は、以下に示すように、ＰＰＭメッセージ、状態または条件情報および補助条件に応じて満足または不満足メッセージを発生する。  
補助条件 ＰＰＭ 安全装置 ベッド状態の表示
許容可能      装備          有効              満足
許容可能      装備          無効              不満足
許容不可                                      不満足
【００２２】
本開示は、特定の複数の実施形態を参照しているが、当業者は、添付の請求項によって規定された対象を逸脱することなくさまざまな形式上の変更や詳細の変更を行うことが可能であることを理解するであろう。
【図１】
2010088878.tif 000003
【図２】
2010088878.tif 000004
【図３】
2010088878.tif 000005
【図４】
2010088878.tif 000006
【図５】
2010088878.tif 000007
【図６】
2010088878.tif 000008
【図７】
2010088878.tif 000009
【図８】
2010088878.tif 000010
【図９】
2010088878.tif 000011
【図１０】
2010088878.tif 000012
【図１１】
2010088878.tif 000013
【外国語明細書】
2010088878.tif 000014
2010088878.tif 000015
2010088878.tif 000016
2010088878.tif 000017
2010088878.tif 000018
2010088878.tif 000019
2010088878.tif 000020
2010088878.tif 000021
2010088878.tif 000022
2010088878.tif 000023
2010088878.tif 000024
2010088878.tif 000025
2010088878.tif 000026
2010088878.tif 000027
2010088878.tif 000028
2010088878.tif 000029
2010088878.tif 000030
2010088878.tif 000031
2010088878.tif 000032
2010088878.tif 000033
2010088878.tif 000034
2010088878.tif 000035
2010088878.tif 000036
2010088878.tif 000037
2010088878.tif 000038
2010088878.tif 000039
2010088878.tif 000040
2010088878.tif 000041
2010088878.tif 000042
2010088878.tif 000043
2010088878.tif 000044
2010088878.tif 000045
2010088878.tif 000046